(57)【要約】  カップ部付き衣類（１）は、左右一対のカップ部（２）、及びカップ部（２）の下縁部（２ｃ）側を支持する表側土台部（１３）を含む表側の第１のパーツ１１（と）、左右一対のパッド部（６）、及びパッド部（６）の下縁部（６ｂ）側を支持する肌側土台部（１４）を含む肌側の第２のパーツ（１２）と、を備える。表側土台部（１３）の脇部（１３ａ）と肌側土台部（１４）の脇部（１４ａ）とが連結されることにより、第１のパーツ（１１）と第２のパーツ（１２）とが互いに結合され、第１のパーツ（１１）が第２のパーツ（１２）に対して上下及び前後に動くことができるようになっている。
2015128934.tif 000002
【特許請求の範囲】
【請求項１】
左右一対のカップ部、及び前記カップ部の下縁部側を支持する表側土台部を含む表側の第１のパーツと、  左右一対のパッド部、及び前記パッド部の下縁部側を支持する肌側土台部を含む肌側の第２のパーツと、を備え、  前記表側土台部の脇部と前記肌側土台部の脇部とが連結されることにより、前記第１のパーツと前記第２のパーツとが互いに結合されているカップ部付き衣類。
【請求項２】
前記表側土台部の前中心と前記肌側土台部の前中心とが更に連結されている請求項１記載のカップ部付き衣類。
【請求項３】
前記パッド部の上縁部と前記カップ部の上縁部及び脇縁部とが伸縮性を有する部材によって連結されている請求項１又は２記載のカップ部付き衣類。
【請求項４】
前記表側土台部と前記肌側土台部とが伸縮性を有する部材によって連結されている請求項１〜３のいずれか一項に記載のカップ部付き衣類。
【請求項５】
前記肌側土台部の脇部にバック部が設けられ、  前記カップ部の上縁部と前記バック部とをつなぐようにストラップ部が設けられている請求項１〜４のいずれか一項記載のカップ部付き衣類。
【請求項６】
前記パッド部の下縁部に沿ってワイヤ部が配置されている請求項１〜５のいずれか一項記載のカップ部付き衣類。
【発明の詳細な説明】
【技術分野】
【０００１】  本発明は、カップ部付き衣類に関する。
【背景技術】
【０００２】  ブラジャーに代表されるカップ部付き衣類では、バストの造形性や着用感の向上などが従来からの課題となっている。例えば特許文献１に記載のブラジャーでは、カップ部の表側に伸び抑制布を縫着することで、バストの造形性及び着用感の向上の両立を図っている。このようなカップ部付き衣類では、自分のバストにしっかりフィットするものを着用したいという消費者ニーズが顕在的に存在している。【０００３】  現状では、消費者がカップ部付き衣類を購入する場合、店頭で試着が可能となっていることが多いが、試着を面倒に感じる消費者が試着なしにカップ部付き衣類を購入してしまうこともある。かかる事情に鑑み、出願人らが消費者約一万人を対象に行った調査では、試着なしにカップ部付き衣類を購入している消費者の割合が約６０％、カップ付き衣類が自分のバストにフィットしていると感じている消費者の割合が約４０％、という結果となっている。この結果から、比較的多くの消費者が自分のバストにフィットしていない（サイズが合っていない）カップ部付き衣類を着用していることが推定される。
【先行技術文献】
【特許文献】
【０００４】
【特許文献１】特開２００２−１１５１０５号公報
【発明の概要】
【発明が解決しようとする課題】
【０００５】  サイズの合っていないカップ部付き衣類を無理に着用すると、バストの状態に問題が生じることが考えられる。例えばＢ７０のバストの着用者がＣ７０のカップ部付き衣類を着用すると、カップ部におけるバストトップ部分が余ったり、カップ部の上辺又は上カップ部がバストに対して浮いてしまったりする場合がある。また、例えばＤ７０のバストの着用者がＣ７０のカップ部付き衣類を着用すると、バストがカップ部に入り切らず、カップ部の上縁部がバストに食い込んでしまう場合がある。【０００６】  また、着用者自身がカップ部付き衣類を着用（セルフフィッティング）する際の着用の仕方に問題があることも考えられる。セルフフィッティングでは、バストをカップ部に合わせる際にバストの下点を意識しない傾向や、バストの上部のみをカップ部の脇側に入れ込む傾向が見られ、カップ部付き衣類が有する造形性が設計の意図どおりに発揮されない場合が散見される。【０００７】  これらの問題に対しては、消費者に正しいサイズ選び及び正しい着用方法を店頭などで指導する方法が採られてきた。しかしながら、例えば図１３に示すように、バストのボリュームとバージスライン間隔（カップくりにおける前中心側端点と脇側端点との間の距離）という２つのパラメータに対し、既存のカップ部付き衣類のサイズ（ここではＢ７０、Ｃ７０、及びＤ７０を例示）には限りがある。また、上記調査結果のように試着なしにカップ部付き衣類を購入する消費者が一定の割合で存在する以上、カップ部付き衣類自体が消費者のサイズ選び及び着用方法の実態に即してサイズ対応力及び造形性を有する必要があるものと考えられる。【０００８】  本発明は、上記課題の解決のためになされたものであり、サイズ対応力及び造形性を有するカップ部付き衣類を提供することを目的とする。
【課題を解決するための手段】
【０００９】  上記課題の解決のため、本発明に係るカップ部付き衣類は、左右一対のカップ部、及びカップ部の下縁部側を支持する表側土台部を含む表側の第１のパーツと、左右一対のパッド部、及びパッド部の下縁部側を支持する肌側土台部を含む肌側の第２のパーツと、を備え、前記表側土台部の脇部と前記肌側土台部の脇部とが連結されることにより、前記第１のパーツと前記第２のパーツとが互いに結合されていることを特徴としている。【００１０】  このカップ部付き衣類では、表側土台部の脇部と肌側土台部の脇部とが連結されることにより、第１のパーツと第２のパーツとが互いに結合されている。このため、第１のパーツが第２のパーツに対して上下及び前後に動くことができ、サイズの異なるバストに対してカップ丈及びわたり寸法が可変となるので、シルエットを整えることができる。また、カップ部とパッド部とが分離しているため、カップ部の影響を受けずにバストの下点にパッド部がフィットし易く、パッド部によるバストの造形機能が良好に発揮される。したがって、このカップ部付き衣類では、サイズ対応力及び造形性の双方を十分に得ることができる。【００１１】  また、表側土台部の前中心と肌側土台部の前中心とが更に連結されていることが好ましい。この場合、バストの安定性を高めることができる。【００１２】  また、パッド部の上縁部とカップ部の上縁部及び脇縁部とが伸縮性を有する部材によって連結されていることが好ましい。この場合、バストの安定性を高めることができる。連結部材として伸縮性を有する部材を用いることで、第２のパーツに対する第１のパーツの動きが阻害されることも回避できる。【００１３】  また、表側土台部と肌側土台部とが伸縮性を有する部材によって連結されていることが好ましい。この場合、バストの安定性を高めることができる。連結部材として伸縮性を有する部材を用いることで、第２のパーツに対する第１のパーツの動きが阻害されることも回避できる。【００１４】  また、肌側土台部の脇部にバック部が設けられ、カップ部の上縁部とバック部とをつなぐようにストラップ部が設けられていることが好ましい。この場合、着用時にストラップ部から付加される引っ張り力により、第２のパーツに対する第１のパーツの動きを生じさせることができる。【００１５】  また、パッド部の下縁部に沿ってワイヤ部が配置されていることが好ましい。この場合、バストの下点に対してワイヤ部をしっかりとフィットさせることができ、バストの造形機能を一層高めることができる。
【発明の効果】
【００１６】  本発明に係るカップ部付き衣類によれば、サイズ対応力及び造形性の双方を確保できる。
【図面の簡単な説明】
【００１７】
【図１】本発明に係るカップ部付き衣類の一実施形態を示す斜視図である。
【図２】図１に示したカップ部付き衣類を構成する第１パーツを示す斜視図である。
【図３】図１に示したカップ部付き衣類を構成する第２パーツを示す斜視図である。
【図４】サイズの小さいバストに対するカップ部のフィット性を示す図であり、（ａ）は比較例の場合、（ｂ）は実施例の場合を示す。
【図５】サイズの大きいバストに対するカップ部のフィット性を示す図であり、（ａ）は比較例の場合、（ｂ）は実施例の場合を示す。
【図６】本発明に係るカップ部付き衣類のサイズ対応力に関する効果確認試験結果を示す図である。
【図７】本発明に係るカップ部付き衣類の変形例を示す斜視図である。
【図８】本発明に係るカップ部付き衣類の別の変形例を示す斜視図である。
【図９】図７及び図８に示したカップ部付き衣類における連結部材と表側土台部及び肌側土台部との結合構造の一例を示す図である。
【図１０】本発明に係るカップ部付き衣類の更に別の変形例を示す斜視図である。
【図１１】図１０に示したカップ部付き衣類を構成する第１のパーツを示す斜視図である。
【図１２】図１０に示したカップ部付き衣類を構成する第２のパーツを示す斜視図である。
【図１３】バスト形状と既存のカップ部付き衣類のサイズ対応との関係の一例を示す図である。
【発明を実施するための形態】
【００１８】  以下、図面を参照しながら、本発明に係るカップ部付き衣類の好適な実施形態について詳細に説明する。
【００１９】  図１は、本発明に係るカップ部付き衣類の一実施形態を示す斜視図である。同図に示すように、カップ部付き衣類１は、例えば女性用のブラジャーとして構成されている。このカップ部付き衣類１は、左右一対のカップ部２と、カップ部２の下縁部２ｃ側に設けられた土台部３と、土台部３の両脇からそれぞれ延びて背面側に至るバック部４と、カップ部２とバック部４とをつなぐストラップ部５とによって構成されている。
【００２０】  カップ部２は、着用者のバストの形状に対応させた椀形状となっている。カップ部２の肌側布には、不織布や発泡ポリウレタンといった一定の保形性及び弾力性を有する素材が用いられ、カップ部２の表側布には、例えば合成繊維や天然繊維の織布・編布といった素材が用いられる。カップ部２の上縁部２ａは、例えばバストの上部に沿うように略中央部分で上向きに湾曲している。また、カップ部２の脇縁部２ｂは、腕の動きを阻害することが無いように中心側に向かって緩やかに湾曲しており、カップ部２の下縁部２ｃは、バストのバージスラインに合うように下向きに湾曲している。
【００２１】  カップ部２の肌側には、バストアップ・寄せ・突出などの造形機能を有するパッド部６が配置されている。パッド部６の表側は、カップ部２の下方側の形状に対応した椀形状となっている。パッド部６は、例えばウレタン系の発泡性樹脂からなる素材をハーフトリコット等の肌触りの良い薄手の素材で包むことによって形成されている。
【００２２】  パッド部６の上縁部６ａは、バストトップに対応する位置が凹状に湾曲していると共に、その両側が上方に凸となるように湾曲している。また、パッド部６の上縁部６ａの脇側は、カップ部２の脇縁部２ｂから所定の間隔をもって脇縁部２ｂよりも内側に延在している。パッド部６の下縁部６ｂは、カップ部２の下縁部２ｃと略同形状をなし、下縁部２ｃと略一致するように配置されている。
【００２３】  また、パッド部６の下縁部６ｂ側には、ワイヤ部７が設けられている。ワイヤ部７は、例えば芯材となるワイヤ部材をバイアステープ内に封入することによって構成されている。ワイヤ部材としては、例えば金属や樹脂などが用いられ、バイアステープには、織物や編物などの柔らかい素材が用いられる。
【００２４】  土台部３は、カップ部２の下縁部２ｃ側を支持する表側土台部１３（図２参照）と、パッド部６の下縁部６ｂ側を支持する肌側土台部１４（図３参照）とによって構成されている。表側土台部１３は、例えばカップ部２の表側布と同様の合成繊維や天然繊維の編物・織物などの素材によって形成され、カップ部２の下縁部２ｃに縫着されている。肌側土台部１４は、例えばベア天竺等の伸縮性（特に左右方向の伸縮性）を有する編物・織物などの素材によって形成され、パッド部６の下縁部６ｂに縫着されている。土台部３の上縁部３ａは、カップ部２の下縁部２ｃ及びパッド部６の下縁部６ｂに沿う湾曲形状を有している。
【００２５】  バック部４は、例えばパワーネットなどの伸縮性を有する素材によって形成されている。バック部４の基端側は、土台部３の脇部から連続し、背面側に向かって帯状に延びている。バック部４における背側の端部には、ホック８が設けられている。このホック８により、左右のバック部４が互いに係脱自在となっている。
【００２６】  なお、土台部３の下縁部３ｂには、例えばストレッチテープなど、長手方向に特に伸縮性の高い素材からなる始末部を設けてもよい。また、カップ部２の脇縁部２ｂ、土台部３の上縁脇側部３ｃ、及びバック部４の上縁部４ａにわたって、同様の始末部を設けてもよい。この場合、土台部３の伸縮性及び復元性が高められる。
【００２７】  ストラップ部５は、例えば織物のような布地を紐状に成形、縫製して形成されている。ストラップ部５に用いられる織物等の素材は、長手方向に伸縮性を有していることが好適である。ストラップ部５は、カップ部２とバック部４との間に掛け渡され、いわゆる肩紐を構成している。ストラップ部５の一端は、正面側でカップ部２の脇側上方に連結され、ストラップ部５の他端は、背面側でバック部４の上縁部に連結されている。
【００２８】  以上のような構成を有するカップ部付き衣類１は、より詳細には、バストのシルエットを整える機能を有する表側の第１のパーツ１１と、バストの造形機能を有する肌側の第２のパーツ１２との結合によって形成されている。本実施形態では、第１のパーツ１１及び第２のパーツ１２は、いずれもカットソータイプとなっている。第１のパーツ１１は、図２に示すように、左右のカップ部２と、表側土台部１３とによって構成されている。また、第２のパーツ１２は、図３に示すように、左右のパッド部６と、ワイヤ部７と、肌側土台部１４と、バック部４とによって構成されている。
【００２９】  第１のパーツ１１と第２のパーツ１２とは、カップ部２の下縁部２ｃとパッド部６の下縁部６ｂとが一致し、かつ表側土台部１３と肌側土台部１４と一致するように重ね合されている。そして、第１のパーツ１１と第２のパーツ１２とは、図１に示すように、表側土台部１３の脇部１３ａと肌側土台部１４の脇部１４ａとを縫着する縫着ラインＬ１と、表側土台部１３の前中心と肌側土台部１４の前中心とを縫着する縫着ラインＬ２とによって互いに結合されている。
【００３０】  このような縫着構造により、第１のパーツ１１と第２のパーツ１２とにおいて、パッド部６の下縁部６ｂは、カップ部２の下縁部２ｃと略一致するように重なっているが、カップ部２とパッド部６とは互いにフリーな状態（非縫着状態）となっている。また、表側土台部１３と肌側土台部１４とは、縫着ラインＬ１及び縫着ラインＬ２によって縫着されている部分を除いて互いにフリーな状態（非縫着状態）となっている。なお、縫着ラインＬ１は、必ずしも表側土台部１３の脇部１３ａと肌側土台部１４の脇部１４ａとを上端から下端まで縫着している必要はなく、上端から下端までの一部で縫着していてもよい。縫着ラインＬ２も同様に、必ずしも表側土台部１３の前中心と肌側土台部１４の前中心とを上端から下端まで縫着している必要はなく、上端から下端までの一部で縫着していてもよい。
【００３１】  本実施形態では、図１に示すように、パッド部６の上縁部６ａと、カップ部２の上縁部２ａ及び脇縁部２ｂとは、例えばパワーネット等の伸縮性を有する連結部材１５によって連結されている。連結部材１５は、カップ部２の肌側においてパッド部６が重ならない残余の領域に対応する形状をなし、パッド部６の上縁部６ａに沿う縫着ラインＬ３と、カップ部２の上縁部２ａ及び脇縁部２ｂに沿う縫着ラインＬ４とによって、カップ部２とパッド部６とに縫着されている。なお、連結部材１５は、第１のパーツ１１又は第２のパーツ１２にいずれかに予め設けておいてもよい。
【００３２】  次に、カップ部付き衣類１の作用効果について説明する。
【００３３】  カップ部付き衣類１では、上述したように、表側土台部１３の脇部１３ａと肌側土台部１４の脇部１４ａとの縫着、及び表側土台部１３の前中心と肌側土台部１４の前中心との縫着によって、第１のパーツ１１と第２のパーツ１２とが互いに結合されている。一方、カップ部２とパッド部６とが互いにフリーな状態となっており、表側土台部１３と肌側土台部１４とについても、縫着ラインＬ１及び縫着ラインＬ２によって縫着されている部分を除いて互いにフリーな状態となっている。
【００３４】  このため、第１のパーツ１１が第２のパーツ１２に対して上下及び前後に動くことができ、第１のパーツ１１においてサイズの異なるバストに対してカップ丈及びわたり寸法が可変となるので、バストのシルエットを好適に整えることができる。また、カップ部２とパッド部６とが分離しているため、第２のパーツ１２においてカップ部２の影響を受けずにバストの下点にパッド部６がフィットし易く、パッド部６によるバストの造形機能が良好に発揮される。したがって、このカップ部付き衣類１では、サイズ対応力及び造形性の双方を十分に得ることができる。
【００３５】  カップ部付き衣類１のサイズ対応力に関し、着用者のバストに対してカップ部２がフィットするためには、カップ部２の上縁部２ａがバストに対して浮かないこと、及びカップ部２の上縁部２ａがバストを押さえすぎないこと、が重要となる。
【００３６】  バストのサイズがカップサイズよりも小さい場合、従来のカップ部付き衣類１のようにカップ部２とパッド部６とが互いに固定されていると、図４（ａ）に示すように、カップ部２におけるバストトップ部分が余ったり、カップ部２の上縁部２ａがバストに対して浮いてしまったりする場合がある。これに対し、本実施形態に係るカップ部付き衣類１では、図４（ｂ）に示すように、第１のパーツ１１が第２のパーツ１２に対して上方に動くことができる。これにより、カップ部２の上縁部２ａが肌側に移動してバストの上部に沿うため、カップ部２の上縁部２ａがバストに対して浮いてしまうことを抑制できる。
【００３７】  バストのサイズがカップサイズよりも大きい場合、従来のカップ部付き衣類１のようにカップ部２とパッド部６とが互いに固定されていると、図５（ａ）に示すように、バストがカップ部２に入り切らず、カップ部２の上縁部２ａがバストの上部に食い込んでしまう場合がある。これに対し、本実施形態に係るカップ部付き衣類１では、図５（ｂ）に示すように、第１のパーツ１１が第２のパーツ１２に対して前方に動くことができる。これにより、ボリュームの大きいバストをカップ部２に収めることができる。また、第１のパーツ１１が第２のパーツ１２に対して上方にも動くことができる。これにより、カップ部２の上縁部２ａがバストの上部に食い込んでしまうことも抑制できる。
【００３８】  また、カップ部付き衣類１では、表側土台部１３の前中心と肌側土台部１４の前中心とが互いに連結されている。こうすることで、サイズ対応力及び造形性を損なうことなく、バストの安定性を高めることができる。また、カップ部付き衣類１では、パッド部６の上縁部６ａとカップ部２の上縁部２ａ及び脇縁部２ｂとが伸縮性を有する連結部材１５によって連結されている。これにより、バストの安定性を一層高めることができる。連結部材１５として伸縮性を有する部材を用いることで、第２のパーツ１２に対する第１のパーツ１１の動きが阻害されることも回避できる。
【００３９】  さらに、カップ部付き衣類１では、肌側土台部１４の脇部１４ａにバック部４が設けられ、カップ部２の上縁部２ａとバック部４とをつなぐようにストラップ部５が設けられている。このような構成により、着用時にストラップ部５から付加される引っ張り力がカップ部２に作用し、第２のパーツ１２に対する第１のパーツ１１の動きを生じさせることができる。ストラップ部５からカップ部２への引っ張り力の作用は、特に、バストのサイズがカップサイズよりも小さい場合にカップ部２の上縁部２ａがバストに対して浮いてしまうことの抑制に好適である。
【００４０】  また、カップ部付き衣類１では、パッド部６の下縁部６ｂに沿ってワイヤ部７が配置されている。パッド部６側にワイヤ部７を配置することで、バストの下点に対してワイヤ部７をしっかりとフィットさせることができる。したがって、第２のパーツ１２におけるバストの造形機能を一層高めることができる。
【００４１】  続いて、本発明に係るカップ部付き衣類のサイズ対応力に関する効果確認試験について説明する。
【００４２】  この試験は、バストサイズの異なる被験者に実施例に係るカップ部付き衣類のサンプルと比較例に係るカップ部付き衣類のサンプルとを着用させ、いずれのサンプルのカップ部がバストにフィットしたかの主観評価を集計したものである。実施例に係るカップ部付き衣類としては、上記実施形態と同様、第１のパーツが第２のパーツに対して可動する構成を有するものを用意し、比較例に係るカップ部付き衣類としては、従来のようにカップ部とパッド部とが互いに固定された構成を有するものを用意した。
【００４３】  また、被験者として、バストサイズがＢ７０の被験者、バストサイズがＣ７０の被験者、及びバストサイズがＤ７０の被験者をそれぞれ３名ずつ用意した。また、実施例に係るカップ部付き衣類のサンプルは、Ｃ７０のサイズのみを用意し、比較例に係るカップ部付き衣類のサンプルは、Ｂ７０，Ｃ７０，Ｄ７０の３種類のサイズを用意した。そして、各バストサイズの被験者に実施例及び比較例の各サンプルを着用させた後、カップ部がバストにフィットすると感じた方を選択させ、被験者３名中２名以上が実施例を選択した場合を評価Ａ、被験者３名中１名が実施例を選択した場合を評価Ｂ、被験者３名全てが比較例を選択した場合を評価Ｃとした。
【００４４】  図６は、当該試験結果を示す図である。同図に示すように、Ｂ７０，Ｃ７０，Ｄ７０のいずれの被験者においても、被験者３名全てが比較例を選択したケースは存在せず、カップ部のフィット感は比較例に対して同等或いは同等以上であるという結果が得られた。実施例はＣ７０の１サイズのみを用意していたのであり、本結果から、本発明に係るカップ部付き衣類が複数種類のサイズ間にわたるサイズ対応力を有していることが確認できた。
【００４５】  本発明は、上記実施形態に限られるものではない。
【００４６】  例えば上記実施形態では、パッド部６の上縁部６ａとカップ部２の上縁部２ａ及び脇縁部２ｂとが伸縮性を有する連結部材１５によって連結されているが、第２のパーツ１２に対する第１のパーツ１１の動きをより重視する場合には、連結部材１５を設けない構成としてもよい。一方、バストの安定性をより重視する場合には、表側土台部１３と肌側土台部１４とを伸縮性を有する連結部材によって連結してもよい。
【００４７】  この場合、例えば図７に示すように、均一幅の帯状の連結部材１６をカップ部２及びパッド部６の下方で表側土台部１３と肌側土台部１４との間に左右方向に配置してもよい。また、例えば図８に示すように表側土台部１３及び肌側土台部１４の形状に対応し、上辺がカップ部２の湾曲形状に沿う連結部材１７を表側土台部１３と肌側土台部１４との間に配置してもよい。
【００４８】  連結部材１６，１７と表側土台部１３及び肌側土台部１４との結合にあたっては、表側土台部１３にレース素材を用いる場合には、表側土台部１３の下辺側を肌側土台部１４の下辺側よりも下方に位置させ、例えば図９（ａ）に示すように、連結部材１６，１７の上辺側を表側土台部１３に縫着し、連結部材１６，１７の下辺側を肌側土台部１４に縫着すればよい。また、例えば図９（ｂ）に示すように、連結部材１６，１７の下辺側を表側土台部１３に縫着し、連結部材１６，１７の上辺側を肌側土台部１４に縫着してもよい。
【００４９】  例えば図９（ｃ）に示すように、連結部材１６，１７の下辺側を折り返して二重とし、上辺側の一方を表側土台部１３に縫着し、上辺側の他方を肌側土台部１４に縫着してもよい。また、例えば図９（ｄ）に示すように、連結部材１６，１７の上辺側を折り返して二重とし、上辺側の一方を表側土台部１３に縫着し、上辺側の他方を肌側土台部１４に縫着してもよい。
【００５０】  例えば図９（ｅ）に示すように、連結部材１６，１７の上辺側を表側で折り返すと共に下辺側を肌側で折り返して三重とし、下辺側を表側土台部１３に縫着し、上辺側を肌側土台部１４に縫着してもよい。また、例えば図９（ｆ）に示すように、連結部材１６，１７の下辺側を表側で折り返すと共に上辺側を肌側で折り返して三重とし、上辺側を表側土台部１３に縫着し、下辺側を肌側土台部１４に縫着してもよい。
【００５１】  表側土台部１３にレース素材を用いない場合には、表側土台部１３の下辺側と肌側土台部１４の下辺側との位置を揃え、例えば図９（ｇ）に示すように、表側土台部１３の下辺側と肌側土台部１４の下辺側とを覆うように連結部材１６，１７を配置し、連結部材１６，１７の一方側を表側土台部１３に縫着し、他方側を肌側土台部１４に縫着してもよい。
【００５２】  なお、表側土台部１３及び肌側土台部１４は、それぞれ前中心側部分と脇側部分とに分割され、カップ部の最下点付近で連続していない構成であってもよい。また、表側土台部１３と肌側土台部１４とが縫着ラインＬ１のみで縫着されていてもよい。さらに、第２のパーツ１２に対する第１のパーツ１１の動きを大きく阻害しない程度に、縫着ラインＬ１及び縫着ラインＬ２以外の位置で表側土台部１３と肌側土台部１４とを更に連結してもよい。例えばカップ部２２における下縁部２２ｃの最下点位置の下方などで表側土台部１３と肌側土台部１４とを一点留めしてもよい。カップ部２の下縁部２ｃの形状及びこれに対応する土台部３の上縁部３ａの形状は、円形状に湾曲するものに限られず、種々の形状を採り得る。
【００５３】  また、上記実施形態では、第１のパーツ１１及び第２のパーツ１２がいずれもカットソータイプとなっているが、モールドタイプの第１のパーツ及び第２のパーツを用いてカップ部付き衣類を構成してもよい。図１０は、当該変形例に係るカップ部付き衣類を示す斜視図である。このカップ部付き衣類２１では、第１のパーツ３１は、例えば図１１に示すように、例えばウレタンや不織布等を用いた成型によって一体的に形成されたカップ部２２及び表側土台部３３を有している。また、第２のパーツ３２は、例えば図１２に示すように、例えばウレタン等を用いた成型によって一体的に形成されたパッド部２６、肌側土台部３４、バック部２４、及び連結部材３５を有している。
【００５４】  このカップ部付き衣類２１においても、第１のパーツ３１と第２のパーツ３２とは、図１０に示すように、表側土台部３３の脇部３３ａと肌側土台部３４の脇部３４ａとを縫着する縫着ラインＬ１と、表側土台部３３の前中心と肌側土台部３４の前中心とを縫着する縫着ラインＬ２とによって互いに結合され、土台部２３が形成されている。また、パッド部２６の上縁部２６ａに沿う縫着ラインＬ３と、カップ部２２の上縁部２２ａ及び脇縁部２２ｂに沿う縫着ラインＬ４とによって、連結部材３５がカップ部２２とパッド部２６とに縫着されている。なお、縫着ラインＬ１は、必ずしも表側土台部３３の脇部３３ａと肌側土台部３４の脇部３４ａとを上端から下端まで縫着している必要はなく、上端から下端までの一部で縫着していてもよい。縫着ラインＬ２も同様に、必ずしも表側土台部３３の前中心と肌側土台部３４の前中心とを上端から下端まで縫着している必要はなく、上端から下端までの一部で縫着していてもよい。
【００５５】  このようなカップ部付き衣類２１においても、上記実施形態と同様に、第１のパーツ３１が第２のパーツ３２に対して上下及び前後に動くことができるので、サイズ対応力及び造形性の双方を十分に得ることができる。また、部材点数の削減により、低コスト化を図ることができる。なお、カットソータイプの第１のパーツ１１及び第２のパーツ１２と、モールドタイプの第１のパーツ３１及び第２のパーツ３２とを組み合わせて用いてもよい。すなわち、第１のパーツ１１と第２のパーツ３２とを結合してカップ部付き衣類を構成してもよく、第１のパーツ３１と第２のパーツ１２とを結合してカップ部付き衣類を構成してもよい。
【００５６】  上記実施形態では、カップ付き衣類としてブラジャーを例示したが、本発明を適用するカップ部付き衣類としては、ブラジャーの他に、ブラスリップ、ブラキャミソール、ボディスーツなどのファンデーション衣類、水着、レオタードなどが挙げられる。
【符号の説明】
【００５７】  １，２１…カップ部付き衣類、２，２２…カップ部、２ａ，２２ａ…上縁部、２ｂ，２２ｂ…脇縁部、２ｃ，２２ｃ…下縁部、４，２４…バック部、５…ストラップ部、６，２６…パッド部、６ａ，２６ａ…上縁部、６ｂ，２６ｂ…下縁部、７…ワイヤ部、１１，３１…第１のパーツ、１２，３２…第２のパーツ、１３，３３…表側土台部、１３ａ，３３ａ…脇部、１４，３４…肌側土台部、１４ａ，３４ａ…脇部、１５，１６，１７，３５…連結部材（伸縮性を有する部材）。
【図１】
2015128934.tif 000003
【図２】
2015128934.tif 000004
【図３】
2015128934.tif 000005
【図４】
2015128934.tif 000006
【図５】
2015128934.tif 000007
【図６】
2015128934.tif 000008
【図７】
2015128934.tif 000009
【図８】
2015128934.tif 000010
【図９】
2015128934.tif 000011
【図１０】
2015128934.tif 000012
【図１１】
2015128934.tif 000013
【図１２】
2015128934.tif 000014
【図１３】
2015128934.tif 000015
【国際調査報告】
2015128934.tif 000016
2015128934.tif 000017
2015128934.tif 000018
2015128934.tif 000019
2015128934.tif 000020